(57)【特許請求の範囲】
【請求項１】
高さの異なる軒先部の端部がそれぞれけらばの上端部と下端部とに隣接した屋根において、けらばの側面部にけらば化粧部材を取付け、高さの異なる軒先部にそれぞれ軒樋を配設するとともに高さの高い方の軒先部に配置した軒樋の雨水を高さの低い方の軒先部に配置した軒樋に流すためのけらば化粧部材とは別体の排水樋部をけらば化粧部材内に設け、けらば化粧部材の下端部内に高さの低い方の軒先部に配設した軒樋の端部を挿入して位置させて成ることを特徴とする屋根の排水構造。
【請求項２】
高さの異なる軒先部の端部がそれぞれけらばの上端部と下端部とに隣接した屋根において、けらばの側面部にけらば化粧部材を取付け、高さの異なる軒先部にそれぞれ軒樋を配設するとともに高さの高い方の軒先部に配置した軒樋の雨水を高さの低い方の軒先部に配置した軒樋に流すためのけらば化粧部材とは別体の排水樋部をけらば化粧部材内に設け、けらば化粧部材の下端部に軒樋端部止まり部材を設け、この軒樋端部止まり部材に高さの低い方の軒樋の端部を取付けて成ることを特徴とする屋根の排水構造。
【請求項３】
けらば化粧部材の下端部内に軒樋端部止まり部材を設け、この軒樋端部止まり部材にけらば化粧部材内に挿入した高さが低い方の軒樋の端部を取付けて成ることを特徴とする請求項２記載の屋根の排水構造。
【発明の詳細な説明】
【０００１】
【発明の属する技術分野】
本発明は、屋根の排水構造に関するものである。
【０００２】
【従来の技術】
従来から図１２に示すようなけらば２の上端部に高さの高い軒先部１ａを隣接させると共にけらば２の下端部に高さの低い軒先部１ｂを隣接させるような屋根３が知られている。このような屋根３において、高さの高い軒先部１ａ、高さの低い軒先部１ｂにそれぞれ軒樋５ａ、５ｂを配設し、高さの異なる軒樋５ａ、５ｂにそれぞれ縦樋３０を接続し、高さの高い軒樋５ａに流れた雨水は軒樋５ａに接続した縦樋３０から排水し、高さの低い軒樋５ｂに流れた雨水は軒樋５ｂに接続した縦樋３０から排水するようにしていた。
【０００３】
したがって、図１２に示す従来にあっては、高さの高い軒樋５ａに流れた雨水を排水するための縦樋３０と、高さの低い軒樋５ｂに流れた雨水を排水するための縦樋３０との両方が必要であり、部材点数が増すとともに両縦樋３０が壁に沿って露出して外観が良くないという問題があった。
【０００４】
【発明が解決しようとする課題】
本発明は上記の点に鑑みてなされたものであり、縦樋の本数を減らして外観を高め、また、けらば部分の化粧もでき、更に、けらば化粧部材と軒樋の端部との収まりがよくて外観を向上できる屋根の排水構造を提供することを課題とするものである。
【０００５】
【課題を解決するための手段】
上記課題を解決するために本発明に係るけらばの排水構造は、高さの異なる軒先部１の端部がそれぞれけらば２の上端部と下端部とに隣接した屋根３において、けらば２の側面部にけらば化粧部材４を取付け、高さの異なる軒先部１にそれぞれ軒樋５を配設するとともに高さの高い方の軒先部１ａに配置した軒樋５ａの雨水を高さの低い方の軒先部１ｂに配置した軒樋５ｂに流すためのけらば化粧部材７とは別体の排水樋部６をけらば化粧部材４内に設け、けらば化粧部材４の下端部内に高さの低い方の軒先部１ｂに配設した軒樋５ｂの端部を挿入して位置させて成ることを特徴とするものである。このような構成とすることで、けらば化粧部材４でけらば２の化粧ができるだけでなく、けらば化粧部材４に設けた排水樋部６を介して高さの高い方の軒樋５ａに流れた雨水を高さの低い方の軒樋５ｂに流すことができるものであり、この結果、高さの高い方の軒樋５ａ側の縦樋３０の本数を減らすかあるいは無くすことができるものであり、また、けらば化粧部材４の下端部内に高さの低い方の軒先部１ｂに配設した軒樋５ｂの端部を挿入して位置させてあることで、外から見た場合にけらば化粧部材４の下端部と高さが低い方の軒樋５の端部との間に隙間ができず、けらば化粧部材４の下端部が位置する屋根の出隅コーナ部分における収まりを良くすることができるものである。
【０００６】
また、高さの異なる軒先部１の端部がそれぞれけらば２の上端部と下端部とに隣接した屋根３において、けらば２の側面部にけらば化粧部材４を取付け、高さの異なる軒先部１にそれぞれ軒樋５を配設するとともに高さの高い方の軒先部１ａに配置した軒樋５ａの雨水を高さの低い方の軒先部１ｂに配置した軒樋５ｂに流すためのけらば化粧部材７とは別体の排水樋部６をけらば化粧部材４内に設け、けらば化粧部材４の下端部に軒樋端部止まり部材７を設け、この軒樋端部止まり部材７に高さの低い方の軒樋５ｂの端部を取付けて成ることを特徴とするものであってもよい。このような構成とすることで、けらば化粧部材４でけらば２の化粧ができるだけでなく、けらば化粧部材４に設けた排水樋部６を介して高さの高い方の軒樋５ａに流れた雨水を高さの低い方の軒樋５ｂに流すことができるものであり、この結果、高さの高い方の軒樋５ａ側の縦樋３０の本数を減らすかあるいは無くすことができるものであり、また、けらば化粧部材４の下端部に軒樋端部止まり部材７を設け、この軒樋端部止まり部材７に高さの低い方の軒樋５ｂの端部を取付けることで、外から見た場合にけらば化粧部材４の下端部と高さが低い方の軒樋５の端部との間に隙間ができず、けらば化粧部材４の下端部が位置する屋根の出隅コーナ部分における収まりを良くすることができるものである。
【０００７】
また、けらば化粧部材４内に軒樋端部止まり部材７を設け、この軒樋端部止まり部材７にけらば化粧部材４内に挿入した高さの低い方の軒樋５ｂの端部を取付けることが好ましい。このような構成とすることで、高さの低い方の軒樋５ｂの端部がけらば化粧部材４内で接続支持されることになり、接続支持部分が外部に見えずけらば化粧部材４と高さが低い方の軒樋５ｂとの一体感がより現出できることになる。
【０００８】
【発明の実施の形態】
以下、本発明を添付図面に示す実施形態に基づいて説明する。
【０００９】
本発明の対象となる屋根３は軒先が正面視で段差を形成してあり、段差に相当する部分にけらば２が位置し、このけらば２を介して軒先が高さの異なる軒先部１ａと１ｂとに分けてある。つまり、高さの異なる軒先部１ａ、１ｂの端部がそれぞれけらば２の上端部と下端部とにそれぞれ隣接した構成の屋根３である。図１乃至図３に示す実施形態においては２段にけらば２が設けられた例が示してあるが、もちろんけらば２が１段のみの屋根３であっても、あるいはけらば２が３段以上の屋根３であってもよいものである。図１乃至図３においてＡで示す部位の軒先部とＢで示す軒先部とで考えるとＡで示す部位の軒先部が高さの高い方の軒先部１ａとなり、Ｂで示す軒先部が高さの低い方の軒先部１ｂとなるものであり、また、図１乃至図３においてＡで示す部位の軒先部とＣで示す軒先部とで考えるとＣで示す部位の軒先部が高さの高い方の軒先部１ａとなり、Ａで示す軒先部が高さの低い方の軒先部１ｂとなるものである。
【００１０】
けらば２の側面部にはけらば化粧部材４が取付けられる。また、けらば２の上端部に隣接する軒先部１ａには軒樋５ａが配設してあり、けらば２の下端部に隣接する軒先部１ｂには軒樋５ｂが配設してある。けらば化粧部材４には軒先部１ａに配置した軒樋５ａからの雨水を軒先部５ｂに流すための排水樋部６が設けてある。
【００１１】
以下Ａで示す部位の軒先部とＢで示す軒先部との関係に基づいて説明する。
【００１２】
すなわち、図４、図５に示す本実施形態においては、けらば化粧部材４の下端部内に高さの低い方の軒先部１ｂに配設した軒樋５ｂの端部を挿入してある実施形態が示してある。軒樋５ｂの端部には軒樋端部止まり部材７が取付けてある。そして、排水樋部６の先端部に設けたエルボ６ａ等の接続端部と軒樋５ｂとを連通接続してある。また、図示を省略しているが高さの高い方の軒先部１ａに配置した軒樋５ａの端部と排水樋部６とはエルボ等により連通接続してある。
【００１３】
しかして、高さの高い方の軒先部１ａに配置した軒樋５ａに流れた雨水は化粧部材４に設けた（例えば化粧部材４内に配設した）排水樋部６に流れ、排水樋部６から高さの低い方の軒先部１ｂに配置した軒樋５ｂに流れ、高さの低い方の軒先部１ｂに接続した縦樋３０から排水されるものである。ここで、本実施形態では、けらば化粧部材４の下端部内に高さの低い方の軒先部１ｂに配設した軒樋５ｂの端部を挿入したので、外から見た場合けらば化粧部材４の下端部と高さが低い方の軒樋５の端部との間に隙間ができず、けらば化粧部材４の下端部が位置する屋根の出隅コーナ部分における収まりを良くすることができるものである。そして、上記のように、けらば化粧部材４に設けた排水樋部６を介して高さの高い方の軒樋５ａに流れた雨水を高さの低い方の軒樋５ｂに流すことができるものであり、この結果、高さの高い方の軒樋５ａ側の縦樋の本数を減らすかあるいは無くすことができるものである。
【００１４】
次に、図６乃至図９示す実施形態においては、けらば化粧部材４の下端部に軒樋端部止まり部材７を設け、軒樋端部止まり部材７に高さの低い方の軒樋５ｂの端部を接着剤などにより取付けた例が示してある。図６乃至図８においてはけらば化粧部材４に軒樋端部止まり部材７を設けるに当たっての内部に軒樋端部止まり部材７をけらば化粧部材４と一体に形成または接着等により固着した例を示しており、この実施形態においては、軒樋端部止まり部材７を介してけらば化粧部材４に軒樋５ｂの端部が安定して支持され、しかも、軒樋端部止まり部材７が外部に露出せず、軒樋５ｂの接続支持部分が外部に見えずけらば化粧部材４と高さが低い方の軒樋５ｂとの一体感がより現出できることになる。
【００１５】
また、図１０、図１１に示す実施形態においてはけらば化粧部材４の先端部の軒樋５ｂと対向する側面に軒先端部止まり部材７を一体に形成または接着等により固着した例を示しており、けらば化粧部材４に設けた軒先端部止まり部材７に高さの低い方の軒樋５ｂの端部を接着剤などにより取付けた例が示してある。この実施形態においては、軒樋端部止まり部材７を介してけらば化粧部材４に軒樋５ｂの端部が安定して支持され、また、軒樋端部止まり部材７とけらば化粧部材４との間に隙間が発生せず、けらば化粧部材４と軒樋５ｂとの一体感が現出できるものである。
【００１６】
【発明の効果】
上記のように本発明の請求項１記載の発明にあっては、高さの異なる軒先部の端部がそれぞれけらばの上端部と下端部とに隣接した屋根において、けらばの側面部にけらば化粧部材を取付け、高さの異なる軒先部にそれぞれ軒樋を配設するとともに高さの高い方の軒先部に配置した軒樋の雨水を高さの低い方の軒先部に配置した軒樋に流すためのけらば化粧部材とは別体の排水樋部をけらば化粧部材内に設け、けらば化粧部材の下端部内に高さの低い方の軒先部に配設した軒樋の端部を挿入して位置させてあるので、けらば化粧部材でけらばの化粧ができるものであり、また、けらば化粧部材に設けた排水樋部を介して上側軒樋に流れた雨水を下側軒樋に流すことができて上側軒樋側の縦樋の本数を減らすかあるいは無くすことができ、外観を向上させることができるものであり、しかも、けらば化粧部材の下端部内に高さの低い方の軒先部に配設した軒樋の端部を挿入して位置させるので、外から見た場合にけらば化粧部材の下端部と高さが低い方の軒樋の端部との間に隙間ができず、けらば化粧部材の下端部が位置する屋根の出隅コーナ部分における収まりを良くして外観を向上することができるものである。
【００１７】
また、請求項２記載の発明にあっては、上記請求項１記載の発明の効果に加えて、高さの異なる軒先部の端部がそれぞれけらばの上端部と下端部とに隣接した屋根において、けらばの側面部にけらば化粧部材を取付け、高さの異なる軒先部にそれぞれ軒樋を配設するとともに高さの高い方の軒先部に配置した軒樋の雨水を高さの低い方の軒先部に配置した軒樋に流すためのけらば化粧部材とは別体の排水樋部をけらば化粧部材内に設け、けらば化粧部材の下端部に軒樋端部止まり部材を設け、この軒樋端部止まり部材に高さの低い方の軒樋の端部を取付けてあるので、けらば化粧部材でけらばの化粧ができるものであり、また、けらば化粧部材に設けた排水樋部を介して上側軒樋に流れた雨水を下側軒樋に流すことができて上側軒樋側の縦樋の本数を減らすかあるいは無くすことができ、外観を向上させることができるものであり、しかも、けらば化粧部材の下端部に軒樋端部止まり部材を設け、この軒樋端部止まり部材に高さの低い方の軒樋の端部を取付けるので、外から見た場合にけらば化粧部材の下端部と高さが低い方の軒樋の端部との間に隙間ができず、けらば化粧部材の下端部が位置する屋根の出隅コーナ部分における収まりを良くして外観を向上することができるものであり、また、軒樋の端部をけらば化粧部材で安定して支持することができるものである。
【００１８】
また、請求項３記載の発明にあっては、上記請求項２記載の発明の効果に加えて、けらば化粧部材の下端部内に軒樋端部止まり部材を設け、この軒樋端部止まり部材にけらば化粧部材内に挿入した高さが低い方の軒樋の端部を取付けてあるので、高さの低い方の軒樋の端部がけらば化粧部材内で接続支持されることになり、高さの低い方の軒樋の端部がけらば化粧部材に安定して支持されると共に接続支持部分が外部に見えずけらば化粧部材と高さが低い方の軒樋との一体感がより現出できるものである。
【図面の簡単な説明】
【図１】本発明の全体斜視図である。
【図２】同上の一実施形態の要部斜視図である。
【図３】同上の排水樋部の位置を示す要部斜視図である。
【図４】同上の一実施形態の斜視図である。
【図５】同上の断面図である。
【図６】同上の他の実施形態の斜視図である。
【図７】同上の断面図である。
【図８】同上の正面図である。
【図９】同上のけらば部分の断面図である。
【図１０】同上の更に他の実施形態の斜視図である。
【図１１】同上の断面図である。
【図１２】従来例の斜視図である。
【符号の説明】
１  軒先部
１ａ  軒先部
１ｂ  軒先部
２  けらば
３  屋根
４  けらば化粧部材
５  軒樋
５ａ  軒樋
５ｂ  軒樋
６  排水樋部
７  軒樋端部止まり部材
【図１】
0004314708.tif 000002
【図２】
0004314708.tif 000003
【図３】
0004314708.tif 000004
【図４】
0004314708.tif 000005
【図５】
0004314708.tif 000006
【図６】
0004314708.tif 000007
【図７】
0004314708.tif 000008
【図８】
0004314708.tif 000009
【図９】
0004314708.tif 000010
【図１０】
0004314708.tif 000011
【図１１】
0004314708.tif 000012
【図１２】
0004314708.tif 000013